(57)【要約】【課題】給紙装置の取付状態に関わらず、原稿の読取位置を適切に決定する読取装置を提供する。【解決手段】ライン型イメージセンサおよび光源を含む読取部により原稿台上の原稿を光学的に読み取り、読取部の読取位置に原稿を給紙する給紙装置と接続可能な読取装置において、給紙装置内の原稿の給紙方向と直交する方向に設けられた白色基準板に対して、読取部の光源から光を照射してライン型イメージセンサで受光する。そして、読取部をライン型イメージセンサのライン方向と直交する方向に移動させながら、輝度値を取得する。その取得された輝度値に基づいて、原稿を読み取るための読取部の読取位置を特定する。【選択図】図４
2015100037.tif 000002
【特許請求の範囲】
【請求項１】
原稿供給装置から供給される原稿を読み取る読取装置であって、
前記原稿を読み取る読取部と、
前記原稿供給装置に設けられ、前記原稿供給装置から供給される原稿の前記読取部による読取位置を決めるために、前記読取部の読み取りによる検出対象となる検出対象部と、
前記読取装置の前記読取部と前記検出対象部の間に設けられ、前記原稿供給装置が取り付けられる位置がずれた場合にも、前記検出対象部の一部が前記読取部によって読取可能となるように設けられる介在部と、
を備えることを特徴とする読取装置。
【請求項２】
前記検出対象部は、白色のシート部材であることを特徴とする請求項１に記載の読取装置。
【請求項３】
前記介在部は、ゴミ除去用のシート部材であることを特徴とする請求項１又は２に記載の読取装置。
【請求項４】
前記検出対象部は、前記原稿供給装置の原稿供給方向と直交する方向における中央部に切り欠き部を備え、
前記切り欠き部において前記読取部が前記検出対象部の端部を検出することで、前記原稿の前記読取部による読取位置が決められることを特徴とする請求項１乃至３のいずれか１項に記載の読取装置。
【請求項５】
前記検出対象部は、前記読取部が前記原稿を読み取るときの読取領域外に切り欠き部を備え、
前記切り欠き部において前記読取部が前記検出対象部の端部を検出することで、前記原稿の前記読取部による読取位置が決められることを特徴とする請求項１乃至３のいずれか１項に記載の読取装置。
【請求項６】
前記検出対象部は、前記原稿供給装置の原稿供給方向と直交する方向において複数の切り欠き部を備え、
前記複数の切り欠き部の中から選択的に選択された切り欠き部において、前記読取部が前記検出対象部の端部を検出することで、前記原稿の前記読取部による読取位置が決められることを特徴とする請求項１乃至３のいずれか１項に記載の読取装置。
【請求項７】
前記読取部の光源から光を照射させて前記読取部の受光部にて反射光を受光し、前記読取部を前記原稿供給装置の原稿給紙方向に移動させながら、輝度値を取得する取得手段と、
前記取得手段により取得された輝度値に基づいて、前記読取部が検出した前記検出対象部の端部から、前記原稿の前記読取部による読取位置を特定する特定手段と、
をさらに備えることを特徴とする請求項１乃至６のいずれか１項に記載の読取装置。
【請求項８】
前記特定手段は、前記取得手段により取得された輝度値が所定の値より小さくなったときの前記読取部の位置に基づいて、前記原稿の前記読取部による読取位置を特定することを特徴とする請求項７に記載の読取装置。
【請求項９】
前記検出対象部は、前記原稿供給装置の原稿供給方向と直交する方向における中央部に切り欠き部を備え、
前記特定手段は、前記切り欠き部にて検出された前記検出対象部の端部から、前記原稿の前記読取部による読取位置を特定することを特徴とする請求項７又は８に記載の読取装置。
【請求項１０】
前記検出対象部は、前記読取部が前記原稿を読み取る時の読取領域以外の領域に切り欠き部を備え、
前記特定手段は、前記切り欠き部にて検出された前記検出対象部の端部から、前記原稿の前記読取部による読取位置を特定することを特徴とする請求項７又８に記載の読取装置。
【請求項１１】
前記検出対象部は、前記原稿供給装置の原稿供給方向と直交する方向において複数の切り欠き部を備え、
前記特定手段は、前記複数の切り欠き部から選択的に選択された切り欠き部にて検出された前記検出対象部の端部から、前記原稿の前記読取部による読取位置を特定することを特徴とする請求項７又は８に記載の読取装置。
【請求項１２】
前記原稿供給装置は、前記読取装置と着脱可能に接続されることを特徴とする請求項１乃至１１のいずれか１項に記載の読取装置。
【請求項１３】
請求項１乃至１２のいずれか１項に記載の読取装置と、
画像データを取得する画像データ取得手段と、
前記画像データ取得手段により取得された前記画像データに基づいて、記録媒体に画像を形成する画像形成手段と、
を備えることを特徴とする画像形成装置。
【請求項１４】
原稿供給装置から供給される原稿を読み取る読取部と、
前記原稿供給装置に設けられ、前記原稿の前記読取部による読取位置を決めるために、前記読取部の読み取りによる検出対象となる検出対象部と、
前記読取部と前記検出対象部の間に設けられ、前記原稿供給装置が取り付けられる位置がずれた場合にも、前記検出対象部の一部が前記読取部によって読取可能となるように設けられる介在部と、を備える読取装置において実行される読取装置の制御方法であって、
前記読取部の光源から光を照射させて前記読取部の受光部にて反射光を受光し、前記読取部を前記原稿供給装置の原稿給紙方向に移動させながら、輝度値を取得する取得工程と、
前記取得工程において取得された輝度値に基づいて、前記原稿の前記読取部による読取位置を特定する特定工程と、
を有することを特徴とする読取装置の制御方法。
【発明の詳細な説明】
【技術分野】
【０００１】
本発明は、原稿画像を光学的に読み取る読取装置、読取装置の制御方法、並びに、画像形成装置に関する。
【背景技術】
【０００２】
原稿に光を照射する光走査部を所定の原稿読取位置に停止させた状態で、自動原稿給送装置（ＡＤＦ：Ａｕｔｏ  Ｄｏｃｕｍｅｎｔ  Ｆｅｅｄｅｒ）により原稿を移動させながら原稿を光学的に読み取る所謂、流し読み機能を備えた画像読取装置が知られている。このＡＤＦは、一般的にはオプションで提供され、原稿読取装置本体に対して着脱可能に構成される。
【０００３】
この種の画像読取装置では、ＡＤＦと、原稿読取装置本体における原稿読取位置との位置関係はＡＤＦの取り付け位置や各構成部品のバラツキ等により、目標としている位置関係にならない場合がある。この位置関係を調整するための構成として、ＡＤＦ搬送ローラ（プラテンローラ）の近傍のシート部材近傍で走査部を順次停止させ、照射した反射光を原稿読取装置本体内のＣＣＤイメージセンサ等の光電変換部により読み取ることが特許文献１に記載されている。特許文献１によると、その構成によりシート部材の端部位置を検出して、流し読みを行う際の光走査部の停止位置（原稿読取位置）を設定する。
【先行技術文献】
【特許文献】
【０００４】
【特許文献１】特開２００４−２３２７６号公報
【発明の概要】
【発明が解決しようとする課題】
【０００５】
画像読取装置には、位置検出に用いるシート部材の近傍に、流し読みを行う際に原稿をガイドする部材や、異物の付着を抑えるための部材が取り付けられる場合がある。
【０００６】
しかしながら、特許文献１では、位置検出に用いるシート部材の近傍に別部材が備えられていない。そのため、斜行等のＡＤＦ（給紙装置）の取付状態により位置検出に使用するシート部材と近傍の別部材との位置干渉が発生すると、正しい位置検出ができない場合があった。その場合には、シート部材の端部位置から適切な画像読取位置が決定できず、原稿読取時の画像先端ズレ、ピンボケ等の画像劣化を招いてしまう。
【０００７】
本発明の目的は、このような従来の問題点を解決することにある。上記の点に鑑み、給紙装置の取付状態に関わらず、原稿の読取位置を適切に決定する読取装置、読取装置の制御方法、並びに、画像形成装置を提供することを目的とする。
【課題を解決するための手段】
【０００８】
上記課題を解決するため、本発明に係る読取装置は、原稿供給装置から供給される原稿を読み取る読取装置であって、前記原稿を読み取る読取部と、前記原稿供給装置に設けられ、前記原稿供給装置から供給される原稿の前記読取部による読取位置を決めるために、前記読取部の読み取りによる検出対象となる検出対象部と、前記読取装置の前記読取部と前記検出対象部の間に設けられ、前記原稿供給装置が取り付けられる位置がずれた場合にも、前記検出対象部の一部が前記読取部によって読取可能となるように設けられる介在部と、を備えることを特徴とする。
【発明の効果】
【０００９】
本発明によれば、給紙装置の取付状態に関わらず、原稿の読取位置を適切に決定することができる。
【図面の簡単な説明】
【００１０】
【図１】複写機の構成を示す図である。
【図２】複写機の制御部のブロック構成を示す図である。
【図３】読取ユニット近傍の構成を示す図である。
【図４】読取位置の決定処理の手順を示すフローチャートである。
【図５】輝度値と読取位置候補とを対応付けたデータの一例を示す図である。
【図６】読取位置の決定処理の手順を示すフローチャートである。
【図７】読取位置の決定処理の手順を示すフローチャートである。
【図８】読取位置の決定処理の手順を示すフローチャートである。
【図９】読取位置の決定処理の手順を示すフローチャートである。
【図１０】読取位置の決定処理の手順を示すフローチャートである。
【図１１】読取位置の決定処理の手順を示すフローチャートである。
【図１２】読取位置の決定処理の手順を示すフローチャートである。
【図１３】読取位置の決定処理の手順を示すフローチャートである。
【図１４】輝度値と読取位置候補とを対応付けたデータの一例を示す図である。
【図１５】シート部材を上側から見た図である。
【発明を実施するための形態】
【００１１】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１２】
［第１の実施形態］
図１は、本発明の実施形態における複写機１００の構成を示す図である。本実施形態では、複写機を例として説明するが、複写機以外にも、例えば、ＦＡＸ機能も実現可能な多機能型プリンタ（ＭＦＰ：ＭｕｌｔｉＦｕｎｃｔｉｏｎａｌ  Ｐｒｉｎｔｅｒ）であっても良い。複写機１００は、画像読取装置３００と印刷装置４００とを備える。画像読取装置３００は、ＡＤＦ（Ａｕｔｏ  Ｄｏｃｕｍｅｎｔ  Ｆｅｅｄｅｒ）２００を備える。
【００１３】
印刷装置４００は、複数枚のシートを積載した複数種類のシートカセット４０４、４０５を備え、シート（記録媒体）上に画像データに基づき画像を形成する。シートは、例えば、印刷用紙である。印刷装置４００は、例えば、ＰＣ等の汎用的な情報処理装置から画像データを取得する。露光制御部４０１は、印刷装置４００に入力された画像データに基づき変調された光信号を感光体４０２に対して照射するよう光源を制御する。その照射光によって感光体４０２上に生成された静電潜像は、現像器４０３によってトナー現像され、その結果、トナー画像が生成される。生成されたトナー画像は、転写部４０６により、シートカセット４０４と４０５の一方から搬送されるシートに対して転写される。
【００１４】
転写されたトナー画像は、定着部４０７によりシートに定着される。トナー画像が定着されたシートは、パス４１４を介して、シート排出部４０８から、複写機１００の外部に排出される。ここで、シートを反転させて排出する場合には、フラッパ４０９、４１７、４１３の案内によって、シートを反転路４１５、４１８、４１２の順で搬送する。そして、搬送ローラ４１１を逆回転させ、フラッパ４１３、４１７の案内によって搬送路４１６を介してシートを排出する。複写機１００は、そのような動作により、シートの表裏を反転して排出することができる。また、シートの裏面にも画像を形成させる場合には、シートをフラッパ４０９、４１７、４１３の案内によって、反転路４１５、４１８、４１２の順で搬送する。そして、搬送ローラ４１１を逆回転させ、フラッパ４１３の案内によって、反転搬送路４１０に送り込む。複写機１００は、そのような動作により、シートを表裏反転させ、再度、シートを感光体４０２に送り込み、シート裏面に画像を形成することができる。
【００１５】
ＡＤＦ２００は、シート状の原稿が載置される給紙トレイ２０１を備える。給紙トレイ２０１上の原稿は、ピックアップローラ２０２により順次、その最上位の原稿から搬送される。ピックアップローラ２０２により搬送された原稿は、分離搬送ローラ２０３及び分離パッド２０４により一枚ずつ分離される。分離された原稿は、レジストローラ対２０５及び上流側リードローラ対２０６により、透明原稿台３０１上に位置する搬送ローラ２０７と透明原稿台３０１との間に搬送される。更に、搬送ローラ２０７により下流側に搬送された原稿は、下流側リードローラ対２０８及び排紙ローラ対２０９により、排紙トレイ２１０上に排出される。以上のように、ＡＤＦ２００は、搬送ローラ２０７を介して、給紙トレイ２０１から排紙トレイ２１０に原稿を搬送することができる。搬送ローラ２０７は、図中の矢印で表わされる副走査方向ｄと交差する主走査方向（図中奥方向）を軸方向として延設されたローラである。
【００１６】
画像読取装置３００は、透明原稿台３０１、読取ユニット３０２、駆動ユニット３０３及びホームポジションセンサ３０４を備える。透明原稿台３０１は、例えばガラス板である。読取ユニット３０２は、透明原稿台３０１の下方に位置しており、透明原稿台３０１上の原稿画像を透明原稿台３０１の下方から光学的に読み取る。読取ユニット３０２は、図３に示すように、原稿を照射する原稿照明光源３０７（以降の説明において（各図含む）、照明光源としての発光部品の総称としていわゆるランプともいう）、原稿照明光源３０７により照射され原稿から反射された反射光に基づき原稿画像を読み取るリニアイメージセンサ３０２ａを備える。読取ユニット３０２は、副走査方向ｄに透明原稿台３０１と平行に移動可能であり、ホームポジションセンサ３０４は、読取ユニット３０２がホームポジションに位置していることを検出する。リニアイメージセンサ３０２ａは、主走査方向に１ライン分の原稿画像を読み取ることができる。その場合に、読取ユニット３２０は、原稿からの反射光をリニアイメージセンサに導く光学系（ミラー、レンズ等）を設けるように構成しても良い。
【００１７】
駆動ユニット３０３は、読取ユニット３０２を副走査方向ｄに往復移動させる。駆動ユニット３０３は、例えば、モータを駆動源としたベルト伝動機構であり、ベルトに読取ユニット３０２が固定されている。本実施形態では、駆動ユニット３０３によって読取ユニット３０２を移動させることで、読取ユニット３０２の副走査方向ｄ上の画像読取位置（以下、読取位置という）を透明原稿台３０１に沿って移動させる。別の構成例として、例えば、リニアイメージセンサ３０２ａの位置は固定とし、光学系を移動させることで読取位置を変化させるように構成しても良い。
【００１８】
画像読取装置３００では、原稿の読取モードとして、通常読取モードと、流し読みモードとを選択的に実行することができる。ここで、通常読取モードとは、読取ユニット３０２を副走査方向ｄに移動することにより透明原稿台３０１上に載置された原稿を走査し、原稿の画像を読み取るモードである。一方、流し読みモードとは、読取ユニット３０２の読取位置を搬送ローラ２０７の下方の位置に固定的に位置させ、原稿を搬送ローラ２０７を介して給紙トレイ２０１から排紙トレイ２１０へ一定速度で搬送しながら、搬送される原稿を読み取るモードである。流し読みモードでは、複数枚の原稿を給紙トレイ２０１から排紙トレイ２１０へ連続的に搬送することで、それらの原稿の画像を連続的に読み取ることができる。いずれのモードの場合にも、読取ユニット３０２で読み取った画像を印刷装置４００でシートに印刷することができる。
【００１９】
図２は、画像読取装置３００の制御部のブロック構成を示す図である。制御部１０は、ＣＰＵ等である処理部１１と、ＲＡＭ、ＲＯＭ、ラインメモリ等である記憶部１２と、外部デバイスと処理部１１との間の通信を可能にするインタフェース部１３とを備える。処理部１１は、記憶部１２に記憶された各種プログラムを実行する。図４及び図６〜図１３の各フローチャートは、処理部１１が記憶部１２に記憶された制御プログラムを実行することで実現される。記憶部１２は、その実行結果を記憶することもできる。
【００２０】
読取ユニット３０２が備えるリニアイメージセンサ３０２ａから出力される読取信号（アナログ信号）は、信号処理回路１４で処理されて処理部１１に入力される。信号処理回路１４は、例えば、読取信号を増幅するアンプ、増幅された読取信号をアナログ・デジタル変換するＡ／Ｄ変換器、アナログ・デジタル変換された読取信号のシェーディング補正処理を行うシェーディング補正回路、後述するフローチャートの各処理を実行する処理部を含む。モータ３０１ａは、駆動ユニット３０３の駆動源である。処理部１１は、モータ３０１ａを駆動することにより、読取ユニット３０２の読取位置を変更することができる。
【００２１】
図３は、読取ユニット３０２近傍の構成を示す図である。ＡＤＦ２００は、搬送ローラ２０７の原稿搬送方向の上流側（図中左側）に、搬送ローラ２０７と近接して配置された白色のシート部材２１１（検出対象部）を備えている。白色シート部材２１１としては、ポリエステルフィルムなどが用いられる。この白色シート部材２１１は、流し読みガラス３０５と略平行に配置されている。なお、白色シート部材として、ポリエステルフィルム以外の部材が用いられても良い。また、流し読みガラス３０５上面には、原稿に付着した粉塵などの異物を除去するためのシート部材３０６（介在部）が設けられている。
【００２２】
また、搬送ローラ２０７に最も近接する白色シート部材２１１の先端位置２１２は、搬送ローラ２０７と接触しないように、若干離れて配置される。しかしながら、白色シート部材２１１の先端位置２１２が、搬送ローラ２０７に接触するように配置されても良い。ここで、副走査方向ｄ上で読取ユニット３０２側から搬送ローラ２０７及び白色シート部材２１１を見た場合に、読取ユニット３０２の主走査方向における画像読取範囲の略全域において、白色シート部材２１１により搬送ローラ２０７表面の一部が隠れるような位置に、白色シート部材２１１が配置される。ＡＤＦ原稿読取（流し読み）モード時には、原稿が搬送されていないときに、搬送ローラ２０７表面の白色シート部材２１１で覆われていない部分を読取ユニット３０２により読取可能なように読取ユニット３０２の読取位置が設定される。
【００２３】
次に、ＡＤＦ原稿読取モードにおける読取位置（読取ユニット３０２の読取位置）の決定処理を図４を参照しながら説明する。制御部１０は、ＣＰＵ等である処理部１１により記憶部１２にあるＲＯＭに格納された制御プログラムを読み出して実行することにより、図４の各処理を実現する。
【００２４】
まず、モータ３０１ａを駆動制御して、ホームポジションセンサ３０４により検出されたホームポジション位置に読取ユニット３０２を移動させる（Ｓ４０１）。次に、画像データの主走査方向の読取位置（変数Ｆとする）を、流し読みガラス３０５上面のシート部材３０６と白色シート部材２１１の先端位置２１２とが重ならないようにシート部材３０６の一部がカットされた領域Ｆａ（切り欠き部）として設定する（Ｓ４０２）。本実施形態では、一部がカットされた領域は、図１５（ｂ）に示すように、主走査方向中央付近に設けられている。次に、読取位置の決定動作の開始位置まで読取ユニット３０２を移動させる。例えば、制御部１０は、予め設定されたパルス数分、副走査方向ｄ上で読取ユニット３０２が白色シート部材２１１を読み取ることのできる位置まで読取ユニット３０２を移動させる（Ｓ４０３）。
【００２５】
次に、制御部１０は、原稿照明光源３０７を点灯させて（Ｓ４０４）、搬送ローラ２０７及び白色シート部材２１１を照射し、イメージセンサ３０２ａに読み取らせる。制御部１０は、イメージセンサ３０２ａから出力され、信号処理回路１４によりデジタル信号に変換された信号を取得する（Ｓ４０５）。そして、主走査方向１ライン分のデータにおける主走査方向中央付近のｎ画素分の輝度値を平均したデータＹと、副走査方向ｄ上の現在の読取位置Ｘを対応付けてＲＡＭ等の記憶領域に格納する（Ｓ４０６）。ここで、主走査方向中央付近のｎ画素は、シート部材３０６の一部がカットされた領域Ｆａ内の画素に対応する。
【００２６】
そして、モータ３０１ａに所定移動分のパルス信号ｍを供給することで、読取ユニット３０２を原稿搬送部の下流側へ移動させ（Ｓ４０７）、移動したポイントが読取位置の決定動作終了ポイントであるか否かを判定する（Ｓ４０８）。ここで、決定動作終了ポイントでないと判定された場合にはＳ４０５から繰り返す。一方、Ｓ４０８で決定動作終了ポイントであると判定された場合には、原稿照明光源３０７を消灯し（Ｓ４０９）、ホームポジション位置に読取ユニット３０２を移動させる（Ｓ４１０）。
【００２７】
図５は、Ｓ４０６で記憶領域に格納されたデータ、即ちイメージセンサ３０２ａから出力された主走査方向中央付近のｎ画素分の輝度値を平均したデータＹと、読取位置候補Ｘとを対応付けたデータの一例を示す図である。縦軸は輝度値Ｙを表わしており、０が黒色の輝度値で、数値が上がるにつれて白色の輝度値を表わす。横軸は、読取ユニット３０２の副走査方向ｄ上の位置を表わす。本実施形態では、原稿ジャンプ台３０８の原稿搬送方向下流側に位置する基準位置からの距離Ｘ（ｍｍ）を表わす。
【００２８】
Ｓ４１０の処理後、図５に示す全ての読取位置Ｘでの画像の輝度値Ｙが、予め定められた閾値Ｎに対して、上回る若しくは下回る値であるか否かを判定する（Ｓ４１１）。全ての読取位置Ｘでの画像の輝度値Ｙが予め定められた閾値Ｎに対して上回る若しくは下回る値とは、例えば、図５のグラフＡやグラフＢのような場合が該当する。グラフＡやグラフＢは、例えばＡＤＦ２００が斜行した状態で取り付けられた場合の輝度値Ｙである。ＡＤＦ２００が斜行した状態で取り付けられると、シート部材３０６と白色シート部材２１１の間で位置干渉が発生する場合がある。図５のグラフＡは、シート部材３０６と白色シート部材２１１が同じ位置に配置されてしまったために、読取ユニット３０２が白色シート部材２１１を読み取れず、輝度値が閾値Ｎに対して下回った状態のグラフを表している。図５のグラフＢは、読取ユニット３０２の読取開始位置がずれてしまい、白色シート部材２１１の先端位置２１２を検出できず、輝度値が閾値Ｎに対して上回った状態のグラフを表している。
【００２９】
全ての読取位置Ｘでの画像の輝度値Ｙが、予め定められた閾値Ｎに対して、上回る若しくは下回る値であると判定された場合には、白色シート部材２１１の先端位置２１２が検出できないので、読取位置を予め定められた初期値に設定して、図４の処理を終了する（Ｓ４１２）。一方、全ての読取位置Ｘでの画像の輝度値Ｙが、予め定められた閾値Ｎに対して、上回る若しくは下回る値でないと判定された場合、最初に閾値Ｎを下回った位置を検出し、検出された位置を白色シート部材２１１の先端位置２１２である部材先端位置Ｚａとする（Ｓ４１３）。
【００３０】
Ｓ４１３で決定された部材先端位置Ｚａから、ＡＤＦ２００の仕様で予め定められているＺｃ分の距離だけ副走査方向ｄ上で原稿搬送下流側に移動した点を読取位置Ｚｂとして決定する（即ち、図５におけるＺｂ＝Ｚａ−Ｚｃ）。Ｚｃは、ＡＤＦ２００の内部構成上、白色シート部材２１１から図３内の右側に向かって予め定められた長さであり、その位置であれば、ＡＤＦ原稿読取モードの際に読取ユニット３０２により適切な画像読取を行うことができる。
【００３１】
以上のように、シート部材３０６にカットされた領域Ｆａを設けることで、ＡＤＦの取付状態により、シート部材３０６と白色シート部材２１１との位置干渉が発生した場合でも、白色シート部材２１１の先端位置２１２を検出することができ、適切な読取位置を決定することができる。その結果、画像読取時の画像先端ズレやピンボケ等の画像劣化を防止することができる。
【００３２】
［第２の実施形態］
第１の実施形態では、図１５（ｂ）に示すように、シート部材３０６において主走査方向中央付近が一部カットされた領域（切り欠き部）を設けることで、ＡＤＦの取付状態に関わらず、白色シート部材２１１の先端位置２１２を検出することができた。本実施形態では、シート部材３０６において、画像読取装置３００の画像読取領域以外の領域に一部カットされた領域を設けることで、ＡＤＦの取付状態に関わらず、白色シート部材２１１の先端を検出することができる。図１５（ａ）は、例えば、画像読取領域以外の領域に２か所切り欠き部を設けた一例を示す。
【００３３】
図６は、本実施形態におけるＡＤＦ原稿読取モードにおける読取位置の決定処理の手順を示すフローチャートである。なお、上記のシート部材３０６以外の複写機１００の構成は、第１の実施形態と同じであるので、その説明を省略する。
【００３４】
まず、モータ３０１ａを駆動制御して、ホームポジションセンサ３０４により検出されたホームポジション位置に読取ユニット３０２を移動させる（Ｓ６０１）。次に、画像データの主走査方向の読取位置（変数Ｆとする）を、画像読取装置３００の原稿読取領域外となる位置で、白色シート部材２１１の先端位置２１２を確実に読取可能なように予め主走査方向における読取領域以外の領域の一部がカットされたシート部材３０６の位置Ｆｂとして設定する（Ｓ６０２）。以下、Ｓ６０３〜Ｓ６１１の処理は、図４のＳ４０３〜Ｓ４１１の処理と同じである。このとき、Ｓ６０６にて記憶領域に格納するデータＹは、主走査方向１ライン分のデータにおける読取領域以外のｎ画素分の輝度値を平均したデータとする。ここで、読取領域以外のｎ画素は、シート部材３０６の一部がカットされた領域Ｆｂ内の画素に対応している。
【００３５】
Ｓ６１１での判定の結果、全ての読取位置Ｘでの画像の輝度値Ｙが、予め定められた閾値Ｎに対して、上回る若しくは下回る値であると判定された場合には、白色シート部材２１１の先端位置２１２が検出できないので、読取位置を予め定められた初期値に設定して、図６の処理を終了する（Ｓ６１２）。一方、全ての読取位置Ｘでの輝度値Ｙが、予め定められた閾値Ｎに対して、上回る若しくは下回る値でないと判定された場合、Ｓ４１３及びＳ４１４の処理と同様に読取位置の設定を行う（Ｓ６１３、Ｓ６１４）。
【００３６】
本実施形態では、シート部材３０６のカットされた領域を、画像読取装置３００の画像読取領域以外の領域に設けた。このような構成にすることで、シート部材３０６の、原稿に付着した粉塵などを除去するという機能を低下させることなく、白色シート部材２１１の先端位置２１２を検出することができ、適切な読取位置を決定することができる。その結果、画像読取時の画像先端ズレやピンボケ等の画像劣化を防止することができる。また、本実施形態では、一部がカットされた領域Ｆｂを、シート部材３０６の２箇所に設けたが、片方の端部にだけ一部がカットされた領域Ｆｂを用いても良い。
【００３７】
［第３の実施形態］
本実施形態では、シート部材３０６において、画像読取装置３００のリニアイメージセンサ３０２ａの端部の領域にシート部材３０６の一部がカットされた領域（切り欠き部）を設けることで、ＡＤＦの取付状態に関わらず、白色シート部材２１１の先端位置２１２を検出することができる。リニアイメージセンサ３０２ａの両端部に対応する領域に切り欠き部を設けた場合、図１５（ａ）に示すような状態となる。
【００３８】
図７は、本実施形態におけるＡＤＦ原稿読取モードにおける読取位置の決定処理の手順を示すフローチャートである。なお、上記のシート部材３０６以外の複写機１００の構成は、第１の実施形態と同じであるので、その説明を省略する。
【００３９】
まず、モータ３０１ａを駆動制御して、ホームポジションセンサ３０４により検出されたホームポジション位置に読取ユニット３０２を移動させる（Ｓ７０１）。次に、画像データの主走査方向の読取位置（変数Ｆとする）を、リニアイメージセンサ３０２ａの端部となる位置で、白色シート部材２１１の先端位置２１２を確実に読み取ることができるように主走査方向においてリニアイメージセンサ３０２ａの端部に対応する領域で予め一部がカットされたシート部材３０６の位置Ｆｃとして設定する（Ｓ７０２）。以下、Ｓ７０３〜Ｓ７１１の処理は、図４のＳ４０３〜Ｓ４１１の処理と同じである。このとき、Ｓ７０６にて記憶領域に格納するデータＹは、主走査方向１ライン分のデータにおけるリニアイメージセンサ３０２ａの端部のｎ画素分の輝度値を平均したデータとする。ここで、リニアイメージセンサ３０２ａの端部のｎ画素は、シート部材２０６の一部がカットされた領域Ｆｃ内の画素に対応している。
【００４０】
Ｓ７１１での判定の結果、全ての読取位置Ｘでの画像の輝度値Ｙが、予め定められた閾値Ｎに対して、上回る若しくは下回る値であると判定された場合には、白色シート部材２１１の先端位置２１２が検出できないので、読取位置を予め定められた初期値に設定して、図７の処理を終了する（Ｓ７１２）。一方、全ての読取位置Ｘでの輝度値Ｙが、予め定められた閾値Ｎに対して、上回る若しくは下回る値でないと判定された場合、Ｓ４１３及びＳ４１４ｓの処理と同様に読取位置の設定を行う（Ｓ７１３、Ｓ７１４）。
【００４１】
本実施形態では、シート部材３０６のカットされた領域を、リニアイメージセンサ３０２ａの端部の領域に設けた。このような構成にすることで、シート部材３０６の、原稿に付着した粉塵などを除去するという機能を低下させることなく、白色シート部材２１１の先端位置２１２を検出することができ、適切な読取位置を決定することができる。その結果、画像読取時の画像先端ズレやピンボケ等の画像劣化を防止することができる。
【００４２】
［第４の実施形態］
第１の実施形態では、シート部材３０６において、主走査方向中央付近の位置に一部カットされた領域を設けていた。また、第２の実施形態では、シート部材３０６において、画像読取装置３００の画像読取領域以外の位置に一部カットされた領域を設けていた。また、第３の実施形態では、シート部材３０６において、リニアイメージセンサ３０２ａの端部の領域に一部カットされた領域を設けていた。
【００４３】
本実施形態では、主走査方向中央付近の位置と原稿読取領域外の位置とリニアイメージセンサ３０２ａの端部との全てに、白色シート部材２１１の先端位置２１２を確実に読み取ることができるように予め一部カットされた領域（切り欠き部）が設けられたシート部材３０６が備えられている。従って、画像読取装置３００は、第１〜３の実施形態の動作を選択的に実行することができる。
【００４４】
例えば、画像読取装置３００のディスプレイに表示された設定画面上で、主走査方向中央付近の位置と原稿読取領域外の位置とリニアイメージセンサ３０２ａの端部とのうちのいずれを読取位置の決定処理に用いるかを、ユーザが決定可能にしても良い。そして、主走査方向中央付近の位置が選択された場合には第１の実施形態を実行し、原稿読取領域外の位置が選択された場合には第２の実施形態を実行し、リニアイメージセンサ３０２ａの端部が選択された場合には第３の実施形態を実行する。本実施形態では、第１〜３の実施形態の動作を選択的に実行することができるようにした。このような構成とすることで、ユーザが希望する読取を行うことができる。
【００４５】
［第５の実施形態］
本実施形態においては、シート部材３０６は、第１〜第４の実施形態のように一部がカットされていない。本実施形態では、まず、シート部材３０６の主走査方向中央付近について読取位置の決定処理を行う。そこで、全ての読取位置Ｘでの画像の輝度値Ｙが、予め定められた閾値Ｎに対して上回る若しくは下回る値であると判定された場合、リニアイメージセンサ３０２ａの端部について読取位置の決定処理を行う。そこでも、全ての読取位置Ｘでの画像の輝度値Ｙが、予め定められた閾値Ｎに対して上回る若しくは下回る値であると判定された場合には、読取位置を予め定められた初期値に設定する。
【００４６】
図８は、本実施形態におけるＡＤＦ原稿読取モードにおける読取位置の決定処理の手順を示すフローチャートである。なお、上記のシート部材３０６以外の複写機１００の構成は、第１の実施形態と同じであるので、その説明を省略する。このとき、シート部材３０６は、白色シート部材２１１と重なって配置された場合でも、白色シート部材２１１の先端位置２１２が検出できる位置に設けられているものとする。
【００４７】
まず、モータ３０１ａを駆動制御して、ホームポジションセンサ３０４により検出されたホームポジション位置に読取ユニット３０２を移動させる（Ｓ８０１）。次に、画像データの主走査方向の読取位置（変数Ｆとする）を主走査方向中央部Ｆｄとして設定する（Ｓ８０２）。次に、読取位置の決定動作の開始位置まで読取ユニット３０２を移動させる。例えば、制御部１０は、予め設定されたパルス数分、副走査方向ｄ上で読取ユニット３０２が白色シート部材２１１を読み取ることのできる位置まで読取ユニット３０２を移動させる（Ｓ８０３）。
【００４８】
次に、制御部１０は、原稿照明光源３０７を点灯させて（Ｓ８０４）、搬送ローラ２０７及び白色シート部材２１１を照射し、イメージセンサ３０２ａに読み取らせる。制御部１０は、イメージセンサ３０２ａから出力され、信号処理回路１４によりデジタル信号に変換された信号を取得する（Ｓ８０５）。そして、主走査方向１ライン分のデータにおける主走査方向中央付近のｎ画素分の輝度値を平均したデータＹと、副走査方向ｄ上の現在の読取位置Ｘを対応付けてＲＡＭ等の記憶領域に格納する（Ｓ８０６）。
【００４９】
そして、モータ３０１ａに所定移動分のパルス信号ｍを供給することで、読取ユニット３０２を原稿搬送部の下流側へ移動させ（Ｓ８０７）、移動したポイントが読取位置の決定動作終了ポイントであるか否かを判定する（Ｓ８０８）。ここで、決定動作終了ポイントでないと判定された場合にはＳ８０５から繰り返す。一方、Ｓ８０８で決定動作終了ポイントであると判定された場合には、原稿照明光源３０７を消灯し（Ｓ８０９）、ホームポジション位置に読取ユニット３０２を移動させる（Ｓ８１０）。
【００５０】
前述したＳ８０６で記憶領域に格納されたデータ、即ちイメージセンサ３０２ａから出力された主走査方向中央付近のｎ画素分の輝度値を平均したデータＹと、検出対象の読取位置Ｘとを対応付けたデータを参照する。そして、全ての読取位置Ｘでの画素の輝度値Ｙが、予め定められた閾値Ｎに対して、上回る若しくは下回る値であるか否かを判定する（Ｓ８１１）。ここで、全ての読取位置Ｘでの画素の輝度値Ｙが、予め定められた閾値Ｎに対して、上回る若しくは下回る値であると判定された場合には、白色シート部材２１１の先端位置２１２が検出できないので、Ｓ８１２において、現在の読取位置Ｆが主走査方向端部Ｆｅとして設定されているか否かを判定する。Ｓ８１２で主走査方向端部Ｆｅに設定されていないと判定された場合には、読取位置を主走査方向端部Ｆｅとして設定し（Ｓ８１３）、Ｓ８０３からの処理を繰り返す。一方、現在の読取位置Ｆが主走査方向端部Ｆｅに設定されている場合には、読取位置を予め定められた初期値に設定して、図８の処理を終了する（Ｓ８１４）。その場合の端部Ｆｅは、ＡＤＦ２００の斜行が大きくなると考えられるヒンジと反対側の端部であっても良い。
【００５１】
Ｓ８１１で全ての読取位置Ｘでの画素の輝度値Ｙが閾値Ｎに対して上回る若しくは下回る値でないと判定された場合には、Ｓ４１３と同様に、最初に閾値Ｎを下回った位置を検出し、検出された位置を白色シート部材２１１の先端位置Ｚａとする（Ｓ８１５）。Ｓ８１３で決定された部材先端位置Ｚａから、ＡＤＦ２００の仕様により予め定められているＺｃ分の長さだけ副走査方向ｄで原稿搬送下流側に移動した点を読取位置Ｚｂとして決定する（即ち、図５におけるＺｂ＝Ｚａ−Ｚｃ）。Ｚｃは、ＡＤＦ２００の内部構成上、白色シート部材２１１から図３内の右側に向かって予め定められた長さであり、その位置であれば、ＡＤＦ原稿読取モードの際に読取ユニット３０２により適切な画像読取を行うことができる。
【００５２】
［第６の実施形態］
本実施形態では、画像読取装置３００の最大原稿サイズに対しての原稿読取領域外となる位置を元に、読取位置を決定する。
【００５３】
図９は、本実施形態におけるＡＤＦ原稿読取モードにおける読取位置の決定処理の手順を示すフローチャートである。なお、シート部材３０６以外の複写機１００の構成は、第１の実施形態と同じであるので、その説明を省略する。このとき、シート部材３０６は、白色シート部材２１１と重なって配置された場合でも、白色シート部材２１１の先端位置２１２が検出できる位置に設けられているものとする。
【００５４】
まず、モータ３０１ａを駆動制御して、ホームポジションセンサ３０４により検出されたホームポジション位置に読取ユニット３０２を移動させる（Ｓ９０１）。次に、画像データの主走査方向の読取位置（変数Ｆとする）を、画像読取装置３００での読取可能な最大原稿サイズに対して原稿読取領域外となるリニアイメージセンサ３０２ａの端部位置Ｆｇとして設定する（Ｓ９０２）。以下、Ｓ９０３〜Ｓ９１１の処理は、図８のＳ８０３〜Ｓ８１１における説明と同じである。
【００５５】
Ｓ８１１での判定の結果、全ての読取位置Ｘでの画素の輝度値Ｙが、予め定められた閾値Ｎに対して、上回る若しくは下回る値であると判定された場合、白色シート部材２１１の先端位置２１２が検出できないので、読取位置を予め定められた初期値に設定して、図９の処理を終了する（Ｓ９１２）。一方、全ての読取位置Ｘでの画素の輝度値Ｙが、予め定められた閾値Ｎに対して、上回る若しくは下回る値でないと判定された場合、Ｓ８１５及びＳ８１６と同様に読取位置の設定を行う（Ｓ９１３、Ｓ９１４）。
【００５６】
［第７の実施形態］
本実施形態では、シート部材３０６は、第１〜第４の実施形態のように予め一部がカットされていない。本実施形態では、シート部材３０６と、白色シート部材２１１の先端位置２１２とが重ならない位置とされた部分において読取位置の決定処理を行う。
【００５７】
図１０は、本実施形態におけるＡＤＦ原稿読取モードにおける読取位置の決定処理の手順を示すフローチャートである。なお、上記のシート部材３０６以外の複写機１００の構成は、第１の実施形態と同じであるので、その説明を省略する。このとき、シート部材３０６は、白色シート部材２１１と重なって配置された場合でも、白色シート部材２１１の先端位置２１２が検出できる位置に設けられているものとする。
【００５８】
まず、モータ３０１ａを駆動制御して、ホームポジションセンサ３０４により検出されたホームポジション位置に読取ユニット３０２を移動させる（Ｓ１００１）。次に、画像データの主走査方向の読取位置（変数Ｆとする）を、白色シート部材２１１の先端位置２１２と、シート部材３０６とが重ならないように配置された位置Ｆｈとして設定する（Ｓ１００２）。以下、Ｓ１００３〜Ｓ１０１１の処理は、図８のＳ８０３〜Ｓ８１１における説明と同じである。
【００５９】
Ｓ１０１１での判定の結果、全ての読取位置Ｘでの画素の輝度値Ｙが、予め定められた閾値Ｎに対して、上回る若しくは下回る値であると判定された場合、白色シート部材２１１の先端位置２１２が検出できないので、読取位置を予め定められた初期値に設定して、図１０の処理を終了する（Ｓ１０１２）。一方、全ての読取位置Ｘでの画素の輝度値Ｙが、予め定められた閾値Ｎに対して、上回る若しくは下回る値でないと判定された場合、Ｓ８１５及びＳ８１６と同様に読取位置の設定を行う（Ｓ１０１３、Ｓ１０１４）。
【００６０】
［第８の実施形態］
本実施形態では、主走査方向の１ライン分の輝度値のうち、予め定められた輝度値Ｍより大きい輝度値の領域を特定し、その特定領域に対応する分のデータのみ記憶する構成により、異物等に起因する位置検出の対象外となるべきデータの記憶を防ぐことができる。ここで、輝度値Ｍは、予め定められた閾値Ｎより小さい。そして、特定された領域において、予め定められた閾値Ｎを下回る輝度値の有無に基づいて、読取位置の決定を行う。
【００６１】
図１１は、本実施形態におけるＡＤＦ原稿読取モードにおける読取位置の決定処理の手順を示すフローチャートである。なお、複写機１００の構成は、第１の実施形態と同じであるので、その説明を省略する。
【００６２】
まず、モータ３０１ａを駆動制御して、ホームポジションセンサ３０４により検出されたホームポジション位置に読取ユニット３０２を移動させる（Ｓ１１０１）。次に、読取位置の決定動作の開始位置まで読取ユニット３０２を移動させる。例えば、制御部１０は、予め設定されたパルス数分、副走査方向ｄ上で読取ユニット３０２が白色シート部材２１１を読み取ることのできる位置まで読取ユニット３０２を移動させる（Ｓ１１０２）。
【００６３】
次に、制御部１０は、原稿照明光源３０７を点灯させて（Ｓ１１０３）、搬送ローラ２０７及び白色シート部材２１１を照射し、イメージセンサ３０２ａに読み取らせる。制御部１０は、イメージセンサ３０２ａから出力され、信号処理回路１４によりデジタル信号に変換された信号を取得する（Ｓ１１０４）。
【００６４】
ここで、主走査方向１ライン分のデータのうち、予め定められた輝度値Ｍを上回る領域の開始位置Ｐ１と、その領域の終了位置Ｐ２を特定し、位置Ｐ１〜Ｐ２間の画素の輝度値を平均したデータＹを、現在の読取位置Ｘと対応付けてＸ１〜Ｘ２としてＲＡＭ等の記憶領域に格納する（Ｓ１１０５）。
【００６５】
そして、モータ３０１ａに所定移動分のパルス信号ｍを供給することで、読取ユニット３０２を原稿搬送部の下流側へ移動させ（Ｓ１１０６）、移動したポイントが読取位置の決定動作終了ポイントであるか否かを判定する（Ｓ１１０７）。ここで、決定動作終了ポイントでないと判定された場合にはＳ１１０４から繰り返す。一方、Ｓ１１０７で決定動作終了ポイントであると判定された場合には、原稿照明光源３０７を消灯し（Ｓ１１０８）、ホームポジション位置に読取ユニット３０２を移動させる（Ｓ１１０９）。
【００６６】
次に、制御部１０は、Ｓ１１０５で格納されたＸ１〜Ｘ２のデータがあるか否かを判定する（Ｓ１１１０）。ここで、Ｓ１１０５で格納されたデータがないと判定された場合には、白色シート部材２１１の先端位置２１２が検出できないので、読取位置を予め定められた初期値に設定して、図１１の処理を終了する（Ｓ１１１２）。
【００６７】
Ｓ１１０５で輝度値Ｍを上回る領域Ｘ１〜Ｘ２が記憶領域に格納されたと判定された場合には、制御部１０は、位置Ｘ１〜Ｘ２間のデータのうち、予め定められた閾値Ｎを下回るデータがあるか否かを判定する（Ｓ１１１１）。ここで、予め定められた閾値Ｎを下回るデータがないと判定された場合には、白色シート部材２１１の先端位置２１２が検出できないので、読取位置を予め定められた初期値に設定して、図１１の処理を終了する（Ｓ１１１２）。一方、予め定められた閾値Ｎを下回るデータがあると判定された場合には、そのデータのうち、予め定められた閾値Ｎを最初に下回った位置を検出し、その検出された位置を白色シート部材の先端位置Ｚａとする（Ｓ１１１３）。
【００６８】
Ｓ１１１３で決定された部材先端位置Ｚａから、ＡＤＦ２００の仕様で予め定められているＺｃ分の距離だけ副走査方向ｄ上で原稿搬送下流側に移動した点を読取位置Ｚｂとして決定する（即ち、図５におけるＺｂ＝Ｚａ−Ｚｃ）。Ｚｃは、ＡＤＦ２００の内部構成上、白色シート部材２１１から図３内の右側に向かって予め定められた長さであり、その位置であれば、ＡＤＦ原稿読取モードの際に読取ユニット３０２により適切な画像読取を行うことができる。本実施形態では、第１の実施形態と同じ構成としたが、第２の実施形態やその他の実施形態に組み合わせて用いてもよい。
【００６９】
［第９の実施形態］
本実施形態では、主走査方向のイメージセンサ３０２ａの両端部において、予め定められたＡ画素分の輝度値の平均値を読取位置Ｘと対応付けて保持する。そして、各端部の輝度値の平均値が同じになる読取位置Ｘを特定し、それらの値に基づいて、ＡＤＦ２００の傾き量を求める。その後、いずれかの端部で上記実施形態と同様に取得された、予め定められた閾値Ｎを最初に下回った位置を、ＡＤＦ２００の傾き量で補正する。
【００７０】
図１２は、本実施形態におけるＡＤＦ原稿読取モードにおける読取位置の決定処理の手順を示すフローチャートである。なお、複写機１００の構成は、第１の実施形態と同じであるので、その説明を省略する。
【００７１】
まず、モータ３０１ａを駆動制御して、ホームポジションセンサ３０４により検出されたホームポジション位置に読取ユニット３０２を移動させる（Ｓ１２０１）。次に、読取位置の決定動作の開始位置まで読取ユニット３０２を移動させる。例えば、制御部１０は、予め設定されたパルス数分、副走査方向ｄ上で読取ユニット３０２が白色シート部材２１１を読み取ることのできる位置まで読取ユニット３０２を移動させる（Ｓ１２０２）。
【００７２】
次に、制御部１０は、原稿照明光源３０７を点灯させて（Ｓ１２０３）、搬送ローラ２０７及び白色シート部材２１１を照射し、イメージセンサ３０２ａに読み取らせる。制御部１０は、イメージセンサ３０２ａから出力され、信号処理回路１４によりデジタル信号に変換された信号を取得する（Ｓ１２０４）。
【００７３】
制御部１０は、主走査方向１ライン分のデータのうち、イメージセンサ３０２ａの主走査方向の両端部Ｑ１、Ｑ２のＡ画素分の平均輝度データＹＱ１、ＹＱ２を現在の読取位置とリンクさせて保存する（Ｓ１２０５）。ここで、両端部のＡ画素分の領域は、予め定められている。
【００７４】
図１４は、Ｓ１２０５で保存された両端部Ｑ１、Ｑ２の各データの一例を示す図である。図１４の縦軸は輝度値を表し、横軸はイメージセンサ３０２ａの副走査方向における位置を表している。Ｓ１２０５においては、イメージセンサ３０２ａの手前側（ＡＤＦが固定されているヒンジ側の反対側）の端部についてのデータがＹＱ１で示され、奥側(ＡＤＦが固定されているヒンジ側)の端部についてのデータがＹＱ２で示されている。ＡＤＦ２００の設置に傾きがある場合、図１４に示すように、ＹＱ１とＹＱ２には、傾きに対応した一定の差分が生じる。
【００７５】
Ｓ１２０５の処理後、モータ３０１ａに所定移動分のパルス信号ｍを供給することで、読取ユニット３０２を原稿搬送部の下流側へ移動させ（Ｓ１２０６）、移動したポイントが読取位置の決定動作終了ポイントであるか否かを判定する（Ｓ１２０７）。ここで、決定動作終了ポイントでないと判定された場合にはＳ１２０４から繰り返す。一方、Ｓ１２０７で決定動作終了ポイントであると判定された場合には、原稿照明光源３０７を消灯し（Ｓ１２０８）、ホームポジション位置に読取ユニット３０２を移動させる（Ｓ１２０９）。
【００７６】
制御部１０は、取得したデータＹＱ１とＹＱ２が同値（例えば、図１４における輝度値２００）になる読取位置Ｌを特定し、Ｌ（ＹＱ１）とＬ（ＹＱ２）の差から、ＡＤＦの傾き量を算出する（Ｓ１２１０）。ＡＤＦの傾き量を示すパラメータは、例えば、Ｌ（ＹＱ１）とＬ（ＹＱ２）の差と、リニアイメージセンサ３０２ａの長手方向の長さの比であっても良い。その場合には、傾きが大きくなるほど、パラメータは大きくなる。
【００７７】
制御部１０は、データＹＱ１を参照し、予め定められた閾値Ｎを最初に下回る位置を検出し、検出された位置に、ＡＤＦの傾き量に対応した補正値を加えた位置を白色シート部材の先端位置Ｚａとする（Ｓ１２１１）。ここで、補正値は、正弦値等のパラメータと、テーブル等により予め対応付けられていても良い。補正値は、例えば、Ｓ１２１１で検出された位置を、Ｌ（ＹＱ１）とＬ（ＹＱ２）の差が小さくなる側に、パラメータに対応する距離分、補正するための値である。つまり、Ｓ１２１１で求められた部材先端位置Ｚａは、Ｌ（ＹＱ１）とＬ（ＹＱ２）の間の値となる。
【００７８】
Ｓ１２１１で決定された部材先端位置Ｚａから、ＡＤＦ２００の仕様で予め定められているＺｃ分の距離だけ副走査方向ｄ上で原稿搬送下流側に移動した点を読取位置Ｚｂとして決定する（即ち、図５におけるＺｂ＝Ｚａ−Ｚｃ）。Ｚｃは、ＡＤＦ２００の内部構成上、白色シート部材２１１から図３内の右側に向かって予め定められた長さであり、その位置であれば、ＡＤＦ原稿読取モードの際に読取ユニット３０２により適切な画像読取を行うことができる。本実施形態では、第１の実施形態と同じ構成としたが、第２の実施形態やその他の実施形態に組み合わせて用いてもよい。
【００７９】
［第１０の実施形態］
第９の実施形態では、リニアイメージセンサ３０２ａの両端部のデータに基づいて傾きに対する補正量を求め、いずれかの端部で検出された部材先端位置をその補正量に基づいて補正した。本実施形態では、両端部それぞれにおける閾値Ｎを最初に下回る位置を比較し、異なる場合には、両読取位置の中間値を、部材先端位置として設定する。
【００８０】
図１３は、本実施形態におけるＡＤＦ原稿読取モードにおける読取位置の決定処理の手順を示すフローチャートである。なお、複写機１００の構成は、第１の実施形態と同じであるので、その説明を省略する。また、Ｓ１３０１〜Ｓ１３０９の処理は、図１２のＳ１２０１〜Ｓ１２０９と同じであるので、その説明を省略する。
【００８１】
Ｓ１３０９の処理後、制御部１０は、取得したデータＹＱ１とＹＱ２それぞれについて、予め定められた閾値Ｎを最初に下回る位置Ｌ（ＹＱ１）、Ｌ（ＹＱ２）を特定する（Ｓ１３１０）。次に、制御部１０は、Ｌ（ＹＱ１）とＬ（ＹＱ２）が同値であるか否かを判定する（Ｓ１３１１）。ここで、同値であると判定された場合、Ｌ（ＹＱ１）を白色シート部材の先端位置Ｚａとする（Ｓ１３１２）。一方、Ｌ（ＹＱ１）とＬ（ＹＱ２）の位置が同値でないと判定された場合、白色シート部材の先端位置が読取ユニットに対してＡＤＦの主走査方向中央部となるように、（Ｌ（ＹＱ１）＋Ｌ（ＹＱ２））／２として部材先端位置Ｚａを設定する（Ｓ１３１３）。
【００８２】
Ｓ１３１３で決定された部材先端位置Ｚａから、ＡＤＦ２００の仕様で予め定められているＺｃ分の距離だけ副走査方向ｄ上で原稿搬送下流側に移動した点を読取位置Ｚｂとして決定する（即ち、図５におけるＺｂ＝Ｚａ−Ｚｃ）。Ｚｃは、ＡＤＦ２００の内部構成上、白色シート部材２１１から図３内の右側に向かって予め定められた長さであり、その位置であれば、ＡＤＦ原稿読取モードの際に読取ユニット３０２により適切な画像読取を行うことができる。本実施形態では、第１の実施形態と同じ構成としたが、第２の実施形態やその他の実施形態に組み合わせて用いてもよい。
【００８３】
以上の各実施形態においては、搬送している原稿に対して、画像読取装置から画像読取りの為に照射される原稿照明光源３０７は、一方向からの構成である。各実施形態でのＡＤＦ原稿読取モードにおける読取位置の決定動作は、ＡＤＦ２００が画像読取装置３００に取り付けられた際、若しくは、ＡＤＦ原稿読取モードでの読取動作をオペレータから指示された際に行うようにしても良い。又は、本画像読取装置３００の電源が投入された際に行うようにしても良い。何れの場合でも、１枚ずつ原稿を読み取る際に、それら各原稿の読取動作に先立って、その都度、画像読取位置の決定動作を行うわけではないので、迅速に原稿読取を行うことが可能である。
【００８４】
画像読取位置の検出動作のタイミングは、オペレータが任意に選択できるようにしても良い。例えば、所定のキーを操作することにより、任意のタイミングで画像読取位置の決定動作を実行させても良い。このように構成することで、ＡＤＦ２００を手で触れた場合に、ＡＤＦ２００と画像読取装置１００との接続機構が位置ズレを引き起こす可能性がある場合等に特に有効となる。
【００８５】
各実施形態ではＡＤＦを備えた画像読取装置について説明したが、工場組み付け時や、故障などでＡＤＦが交換される場合などに適用してもよい。また、各実施形態では、読取位置を検出するための部材を白色シート部材としたが、読取位置を検出できるものであれば、白色シート部材に限ったものでなくてもよい。また、流し読みガラス上面に、原稿に付着した粉塵などの異物を除去するための部材としてシート部材を設けたが、異物を除去できるのであればシート部材に限ったものでなくてもよい。
【図１】
2015100037.tif 000003
【図２】
2015100037.tif 000004
【図３】
2015100037.tif 000005
【図４】
2015100037.tif 000006
【図５】
2015100037.tif 000007
【図６】
2015100037.tif 000008
【図７】
2015100037.tif 000009
【図８】
2015100037.tif 000010
【図９】
2015100037.tif 000011
【図１０】
2015100037.tif 000012
【図１１】
2015100037.tif 000013
【図１２】
2015100037.tif 000014
【図１３】
2015100037.tif 000015
【図１４】
2015100037.tif 000016
【図１５】
2015100037.tif 000017